【手続補正書】
【提出日】平成30年6月11日(2018.6.11)
【手続補正１】
【補正対象書類名】明細書
【補正対象項目名】発明の名称
【補正方法】変更
【補正の内容】
【発明の名称】撮像装置、撮像装置の制御方法、及びプログラム
【手続補正２】
【補正対象書類名】明細書
【補正対象項目名】００１１
【補正方法】変更
【補正の内容】
【００１１】
上記目的を達成するために、本発明の撮像装置は、撮影指示を受け付ける受付手段と、撮像手段と、前記受付手段によって撮影指示を受け付けたことに応じて、前記撮影指示を受け付けるよりも所定時間前から前記撮像手段によって撮像した所定の長さの動画、または、前記撮影指示を受け付けてから前記所定時間後までに前記撮像手段によって撮像した前記所定の長さの動画を記録媒体に記録するように制御する制御手段と、を備え、前記制御手段は、前記受付手段によって１回目の撮影指示を受け付けてから前記所定時間が経過する前に２回目の撮影指示を受け付けた場合に、前記１回目の撮影指示で記録すべき動画の動画開始タイミングから前記2回目の撮影指示で記録すべき動画の動画終了タイミングまでに撮影した、前記所定の長さよりも長い動画を、一連の動画として記録するように制御することを特徴とする。また、本発明の撮像装置は、撮影指示を受け付ける受付手段と、撮像手段と、前記受付手段によって撮影指示を受け付けたことに応じて、前記撮影指示を受け付けるよりも予め定められた時間前から前記撮像手段によって撮像した画像データ、または、前記撮影指示を受け付けてから予め定められた時間後までに前記撮像手段によって撮像した画像データを記録媒体に記録するように制御する制御手段と、を備え、前記制御手段は、前記受付手段によって１回目の撮影指示を受け付けてから前記予め定められた時間が経過する前に２回目の撮影指示を受け付けた場合に、前記１回目の撮影指示で記録すべき画像データの記録開始タイミングから前記２回目の撮影指示で記録すべき画像データの記録終了タイミングまでに撮影した画像データを、一連の画像データとして記録するように制御することを特徴とする。
【手続補正３】
【補正対象書類名】特許請求の範囲
【補正対象項目名】全文
【補正方法】変更
【補正の内容】
【特許請求の範囲】
【請求項１】
撮影指示を受け付ける受付手段と、
撮像手段と、
前記受付手段によって撮影指示を受け付けたことに応じて、前記撮影指示を受け付けるよりも所定時間前から前記撮像手段によって撮像した所定の長さの動画、または、前記撮影指示を受け付けてから前記所定時間後までに前記撮像手段によって撮像した前記所定の長さの動画を記録媒体に記録するように制御する制御手段と、を備え、
前記制御手段は、前記受付手段によって１回目の撮影指示を受け付けてから前記所定時間が経過する前に２回目の撮影指示を受け付けた場合に、前記１回目の撮影指示で記録すべき動画の動画開始タイミングから前記2回目の撮影指示で記録すべき動画の動画終了タイミングまでに撮影した、前記所定の長さよりも長い動画を、一連の動画として記録するように制御することを特徴とする撮像装置。
【請求項２】
前記制御手段は、前記受付手段によって１回目の撮影指示を受け付けてから前記所定時間が経過した後に２回目の撮影指示を受け付けた場合には、前記１回目の撮影指示で記録すべき前記所定の長さの第１の動画と、前記２回目の撮影指示で記録すべき前記所定の長さの第２の動画とを、別の動画として記録するように制御することを特徴とする請求項１に記載の撮像装置。
【請求項３】
前記制御手段は、前記受付手段によって撮影指示を受け付けたことに応じて、前記撮像手段によって撮像した前記所定の長さの動画を、１つの動画ファイルとして前記記録媒体に記録するように制御し、
前記制御手段は、前記受付手段によって１回目の撮影指示を受け付けてから前記所定時間が経過する前に２回目の撮影指示を受け付けた場合に、前記１回目の撮影指示で記録すべき動画の前記動画開始タイミングから、前記２回目の撮影指示で記録すべき動画の前記動画終了タイミングまでに撮影した、前記所定の長さよりも長い動画を、１つの動画ファイルとして記録するように制御することを特徴とする請求項１に記載の撮像装置。
【請求項４】
前記制御手段は、前記受付手段によって１回目の撮影指示を受け付けてから前記所定時間が経過した後に２回目の撮影指示を受け付けた場合には、前記１回目の撮影指示で記録すべき前記所定の長さの第１の動画と、前記２回目の撮影指示で記録すべき前記所定の長さの第２の動画とを、それぞれ別の動画ファイルとして記録するように制御することを特徴とする請求項３に記載の撮像装置。
【請求項５】
前記制御手段は、前記受付手段によって撮影指示を受け付けたことに応じて、前記撮影手段によって撮影した静止画と前記所定の長さの動画とを、前記記録媒体に記録するように制御することを特徴とする請求項１乃至４のいずれか１項に記載の撮像装置。
【請求項６】
前記制御手段は、前記受付手段によって撮影指示を受け付けたことに応じて、前記撮影手段を受け付ける前に撮影した動画を含む前記所定の長さの動画を記録するように制御することを特徴とする請求項１乃至５のいずれか１項に記載の撮像装置。
【請求項７】
前記制御手段は、前記受付手段によって撮影指示を受け付けたことに応じて、前記撮影指示を受け付けた後に撮影した動画を含む前記所定の長さの動画を記録するように制御することを特徴とする請求項１乃至６のいずれか１項に記載の撮像装置。
【請求項８】
前記制御手段は、
前記受付手段によって撮影指示を受け付けたことに応じて、前記撮影指示を受け付けるよりも前記所定時間前から前記撮像手段によって撮像した前記所定の長さの動画を前記記録媒体に記録するように制御し、
前記受付手段によって１回目の撮影指示を受けて受けてから前記所定時間が経過する前に２回目の撮影指示を受け付けた場合に、前記１回目の撮影指示を受け付けるよりも前記所定時間前から、前記２回目の撮影指示で記録すべき動画の前記動画終了タイミングまでに撮影した、前記所定の長さよりも長い動画を、一連の動画として記録するように制御することを特徴とする請求項１に記載の撮像装置。
【請求項９】
前記制御手段は、
前記受付手段によって撮影指示を受け付けたことに応じて、前記撮影指示を受け付けるよりも前記所定時間前から前記撮像手段によって撮像した前記所定の長さの動画を前記記録媒体に記録するように制御し、
前記受付手段によって１回目の撮影指示を受けて受けてから前記所定時間が経過する前に２回目の撮影指示を受け付けた場合に、前記１回目の撮影指示で記録すべき動画の前記動画開始タイミングから、前記２回目の撮影指示を受け付けた前記所定時間後までに撮影した、前記所定の長さよりも長い動画を、一連の動画として記録するように制御することを特徴とする請求項１に記載の撮像装置。
【請求項１０】
前記制御手段は、
前記受付手段によって撮影指示を受け付けたことに応じて、前記撮影指示を受け付けるよりも第１の時間前から、前記撮影指示を受け付けてから第２の時間後までに前記撮像手段によって撮像した前記所定の長さの動画を前記記録媒体に記録するように制御し、
前記受付手段によって１回目の撮影指示を受けて受けてから前記所定時間が経過する前に２回目の撮影指示を受け付けた場合に、前記１回目の撮影指示を受け付けるよりも前記第１の時間前から、前記２回目の撮影指示を受け付けてから前記第２の時間後までに撮影した、前記所定の長さよりも長い動画を、一連の動画として記録するように制御することを特徴とする請求項１に記載の撮像装置。
【請求項１１】
前記制御手段は、
第１の記録モードが設定されているときは、前記受付手段によって１回目の撮影指示を受け付けてから前記所定時間が経過する前に２回目の撮影指示を受け付けた場合に、前記１回目の撮影指示で記録すべき動画の前記動画開始タイミングから、前記２回目の撮影指示で記録すべき動画の前記動画終了タイミングまでに撮影した、前記所定の長さよりも長い動画を、一連の動画として記録するように制御し、
第２の記録モードが設定されているときは、前記受付手段によって１回目の撮影指示を受け付けてから前記所定時間が経過する前に２回目の撮影指示を受け付けた場合に、前記１回目の撮影指示で記録すべき前記所定の長さの動画と、前記２回目の撮影指示で記録すべき前記所定の長さの動画とを、別の動画として記録するように制御することを特徴とする請求項１乃至７のいずれか１項に記載の撮像装置。
【請求項１２】
撮影指示を受け付ける受付手段と、
撮像手段と、
前記受付手段によって撮影指示を受け付けたことに応じて、前記撮影指示を受け付けるよりも予め定められた時間前から前記撮像手段によって撮像した画像データ、または、前記撮影指示を受け付けてから予め定められた時間後までに前記撮像手段によって撮像した画像データを記録媒体に記録するように制御する制御手段と、を備え、
前記制御手段は、前記受付手段によって１回目の撮影指示を受け付けてから前記予め定められた時間が経過する前に２回目の撮影指示を受け付けた場合に、前記１回目の撮影指示で記録すべき画像データの記録開始タイミングから前記２回目の撮影指示で記録すべき画像データの記録終了タイミングまでに撮影した画像データを、一連の画像データとして記録するように制御することを特徴とする撮像装置。
【請求項１３】
撮像手段を備える撮像装置の制御方法であって、
撮影指示を受け付ける受付ステップと、
前記受付ステップにおいて撮影指示を受け付けたことに応じて、前記撮影指示を受け付けるよりも所定時間前から前記撮像手段によって撮像した所定の長さの動画、または、前記撮影指示を受け付けてから前記所定時間後までに前記撮像手段によって撮像した前記所定の長さの動画を記録媒体に記録するように制御する制御ステップと、を有し、
前記制御ステップでは、前記受付ステップにおいて１回目の撮影指示を受け付けてから前記所定時間が経過する前に２回目の撮影指示を受け付けた場合に、前記１回目の撮影指示で記録すべき動画の動画開始タイミングから前記2回目の撮影指示で記録すべき動画の動画終了タイミングまでに撮影した、前記所定の長さよりも長い動画を、一連の動画として記録するように制御することを特徴とする撮像装置の制御方法。
【請求項１４】
コンピュータを、請求項１乃至１１のいずれか１項に記載された撮像装置の各手段として機能させるためのプログラム。